(57)【特許請求の範囲】
【請求項１】
時刻情報（ＲＴＣ）を利用した送信暗号システムと受信暗号システムとの間の保安通信方法であって、
（ａ）前記送信暗号システムのＲＴＣ最大偏差推算部が、前記送信暗号システムと前記受信暗号システムとの間の時刻情報（ＲＴＣ）の最大偏差を計算する段階であって、前記最大偏差は、前記送信暗号システムおよび前記受信暗号システムの寿命と、前記ＲＴＣの正確度とに基づいて決定されること、
（ｂ）前記送信暗号システムのＲＴＣ部分情報計算部が、前記計算されたＲＴＣの最大偏差に基づいて前記ＲＴＣ全体情報の復旧に必要なＲＴＣの部分情報の最小ビットを計算する段階と、
（ｃ）前記送信暗号システムのＲＴＣ部分情報抽出部が、前記計算されたＲＴＣ部分情報の最小ビットに基づいて前記ＲＴＣの部分情報を計算する段階と、
（ｄ）前記送信暗号システムのＲＴＣ部分情報伝送部が、前記計算されたＲＴＣ部分情報を前記受信暗号システムに伝送する段階と
を備えたことを特徴とする保安通信方法。
【請求項２】
（ｅ）前記受信暗号システムのＲＴＣ全体情報復旧部が、前記受信暗号システムで前記受信されたＲＴＣ部分情報に基づいて前記ＲＴＣ全体情報を復旧する段階をさらに備えたことを特徴とする請求項１に記載の保安通信方法。
【請求項３】
前記ＲＴＣ部分情報の最小ビットｎは、下記の式によって計算されることを特徴とする請求項１又は２に記載の保安通信方法。
【数１】
0004796602.tif 000017
（Ｔｄ＝送信暗号システムと受信暗号システム間のＲＴＣ最大偏差）
【請求項４】
前記ＲＴＣ部分情報は、下記の式によって計算されることを特徴とする請求項３に記載の保安通信方法。
【数２】
0004796602.tif 000018
（ＴＡ＝送信暗号システムのＲＴＣ値、ｎ＝ＲＴＣ部分情報の最小ビット数）
【請求項５】
前記ＲＴＣ全体情報Ｘは、
【数３】
0004796602.tif 000019
（ＴＢ＝受信暗号システムのＲＴＣ値）を最小値に作り、下記の式によって計算されることを特徴とする請求項２に記載の保安通信方法。
【数４】
0004796602.tif 000020
（ｋは整数）
【請求項６】
時刻情報（ＲＴＣ）を利用した送信暗号システムと受信暗号システムとの間の保安通信装置であって、
前記送信暗号システムと前記受信暗号システムとの間の時刻情報（ＲＴＣ）の最大偏差を計算するＲＴＣ最大偏差推算部であって、前記最大偏差は、前記送信暗号システムおよび前記受信暗号システムの寿命と、前記ＲＴＣの正確度とに基づいて決定されること、
前記計算されたＲＴＣ最大偏差に基づいて前記ＲＴＣ全体情報の復旧に必要なＲＴＣ部分情報の最小ビットを計算するＲＴＣ部分情報計算部と、
前記計算されたＲＴＣ部分情報の最小ビットに基づいて前記ＲＴＣ部分情報を計算するＲＴＣ部分情報抽出部と、
前記計算されたＲＴＣ部分情報を前記受信暗号システムに伝送するＲＴＣ部分情報伝送部と
を備えたことを特徴とする保安通信装置。
【請求項７】
前記伝送されたＲＴＣ部分情報を受信するＲＴＣ部分情報受信部と、
前記受信されたＲＴＣ部分情報に基づいて前記ＲＴＣ全体情報を復旧するＲＴＣ全体情報復旧部と
をさらに備えたことを特徴とする請求項６に記載の保安通信装置。
【請求項８】
前記ＲＴＣ部分情報計算部は、下記の式によって前記ＲＴＣ部分情報の最小ビット数ｎを計算することを特徴とする請求項６又は７に記載の保安通信装置。
【数５】
0004796602.tif 000021
（Ｔｄ＝送信暗号システムと受信暗号システム間のＲＴＣ最大偏差）
【請求項９】
前記ＲＴＣ部分情報抽出部は、下記の式によって前記ＲＴＣ部分情報を計算することを特徴とする請求項８に記載の保安通信装置。
【数６】
0004796602.tif 000022
（ＴＡ＝送信暗号システムのＲＴＣ値、ｎ＝ＲＴＣ部分情報の最小ビット数）
【請求項１０】
前記ＲＴＣ全体情報復旧部は、
【数７】
0004796602.tif 000023
（ＴＢ＝受信暗号システムのＲＴＣ値）を最小値に作る前記ＲＴＣ全体情報Ｘを下記の式によって計算することを特徴とする請求項６に記載の保安通信装置。
【数８】
0004796602.tif 000024
（ｋは整数）
【発明の詳細な説明】
【技術分野】
【０００１】
本発明は、時刻情報（ＲＴＣ：Real time clock）を利用した暗号システム間の保安通信方法及び装置に関し、より詳細には、送信暗号システムのＲＴＣ部分情報伝送及び受信暗号システムのＲＴＣ全体情報の復旧を通じて暗号システム間の伝送情報を最小化する暗号システム間の保安通信方法及び装置に関する。
【背景技術】
【０００２】
ネットワーク通信が主要な情報交換の手段になり、ネットワーク上でやりとりする重要な情報（例：個人情報、パスワードなど）を保護する必要性が大きくなっている。しかし、ネットワークは、保安性が低いため、ネットワーク上でやりとりする重要な情報を通信する両者が同意した暗号化を通じて安全に伝達しなければならない必要がある。
【０００３】
代表的な暗号システムとして、秘密キー暗号システムと公開キー暗号システムが挙げられる。
【０００４】
公開キー暗号システムは、共有する秘密キーがなく、データを暗号化するのに使用されるキーとデータを復号化するのに使用されるキーとが互いに異なる。通常、暗号化のために使用されるキーを公開キーと呼び、公開キーで暗号化された暗号文を復号化するために使用されるキーを個人キーと呼ぶ。個人キーは、自分の個人キーを自分だけが分かるように保管し、公開キーは、誰でも獲得できるように公開される。公開キーで暗号化された暗号文は、その公開キーと一対である個人キーだけで復号化することができる。
【０００５】
一方、秘密キー暗号システムは、暗号通信を行う２人のユーザが秘密キーを共有し、この秘密キーを利用して暗号化と復号化を行う。したがって、データを暗号化するのに使用されるキーとデータを復号化するのに使用されるキーとが同一である。
【０００６】
秘密キー暗号システムにおいて、マスタキーは、秘密キー暗号システムにおいて保安通信をしようとする２人のユーザが共有している秘密キーである。しかし、１つのマスタキーだけで暗号化または復号化を行う場合、同じ平文に対して同一の暗号文が生成される。同一の暗号文が生成されれば、外部で秘密キーを知ることができるので、これを防止するために、暗号通信を行う毎にノンス（ＮＯＮＣＥ：a number of bit string used only once）という使い捨てデータを使用する。暗号通信を行う毎にマスタキーとノンスを利用して新しい暗号化キーまたは復号化キーを生成して使用するが、このキーをセッションキーと言う。
【０００７】
保安通信を行う２人のユーザは、マスタキーとノンスをキー抽出関数（ＫＤＦ：Key Derivation Function）に入力し、その出力値をセッションキーとして使用する。このように毎度セッションキーを生成して利用することによって、同一の平文に対して多様な暗号文を生成することができる。
【０００８】
図１は、従来の秘密キー基盤暗号システムの暗号通信方法を示す流れ図である。図１を参照すれば、暗号通信を行うユーザＡとユーザＢは、マスタキーＫを共有しており、ユーザＡは、ノンスＮを生成する（Ｓ１１０）。その後、ユーザＡは、マスタキーＫとノンスＮを利用してキー抽出関数ＫＤＦ（Ｋ、Ｎ）値を計算することによって、セッションキーを生成する（Ｓ１２０）。次の段階では、ユーザＡは、生成されたセッションキーを利用して平文を暗号化することによって、暗号文を生成する（Ｓ１３０）。次に、ユーザＡは、ノンスＮと生成された暗号文をユーザＢに伝送する（Ｓ１４０）。ユーザＢは、受信されたノンスＮと共有しているマスタキーＫを利用してセッションキーＫＤＦ（Ｋ、Ｎ）を生成する（Ｓ１５０）。次に、ユーザＢは、セッションキーを利用して受信された暗号文を復号化する（Ｓ１６０）。
【０００９】
２つの暗号システムが同一のセッションキーを共有するためには、同一のノンスを共有する必要があるが、このために、一般的に１つの暗号システムでノンスを生成し、他の暗号システムに伝送する。この時、通信環境が劣悪な場合には、伝送するノンスの大きさを最小化することが必要である。しかし、ノンスの大きさが小さくなれば、ノンスが再使用される確率が相対的に高くなり、ノンスが再使用されれば、以前と同じセッションキーが生成されるので、ノンスは再使用されてはならない。
【００１０】
ノンスの再使用を防止するために、一般的にカウンターのように毎度変更される値をノンスとして活用する。この時、カウンターとして活用度が高いものが時刻情報（ＲＴＣ：Real time clock）である。その理由は、ＲＴＣがすべてのシステムで共有可能な共通値の役目をすることができるからである。しかし、すべてのシステムが同じＲＴＣ情報を共有することは、システム間にＲＴＣ偏差が存在するため、非常に難しい。
【００１１】
【特許文献１】大韓民国特許登録第１０−０３０４３６７号
【発明の開示】
【発明が解決しようとする課題】
【００１２】
本発明は、前記問題点を解決するためになされた発明であって、本発明の目的は、送信暗号システムにおいてＲＴＣ全体情報ＴＡを活用してノンス値Ｎ＝ｆ（ＴＡ、その他の情報）（ｆは、任意の関数）を生成し、ＲＴＣの部分情報ＰＡを活用したＮＴ＝（ＰＡ｜｜その他の情報）を受信暗号システムに伝送すれば、受信暗号システムが伝送されたＲＴＣ部分情報ＰＡから全体情報ＴＡと正しいノンス値Ｎを復旧できるようにすることによって、暗号システム間の伝送情報を最小化する方法及び装置を提供することにある。
【課題を解決するための手段】
【００１３】
上記目的を達成するために、本発明の一態様に係る時刻情報（ＲＴＣ）を利用した送信暗号システムと受信暗号システムとの間の保安通信方法は、（ａ）前記送信暗号システムのＲＴＣ最大偏差推算部が、前記送信暗号システムと前記受信暗号システムとの間の時刻情報（ＲＴＣ）の最大偏差を計算する段階であって、前記最大偏差は、前記送信暗号システムおよび前記受信暗号システムの寿命と、前記ＲＴＣの正確度とに基づいて決定されること、（ｂ）前記送信暗号システムのＲＴＣ部分情報計算部が、前記計算されたＲＴＣの最大偏差に基づいて前記ＲＴＣ全体情報の復旧に必要なＲＴＣの部分情報の最小ビットを計算する段階と、（ｃ）前記送信暗号システムのＲＴＣ部分情報抽出部が、前記計算されたＲＴＣ部分情報の最小ビットに基づいて前記ＲＴＣの部分情報を計算する段階と、（ｄ）前記送信暗号システムのＲＴＣ部分情報伝送部が、前記計算されたＲＴＣ部分情報を前記受信暗号システムに伝送する段階と、を備えたことを特徴とする。
【００１４】
好ましくは、（ｅ）前記受信暗号システムのＲＴＣ全体情報復旧部が、前記受信暗号システムで前記受信されたＲＴＣ部分情報に基づいて前記ＲＴＣ全体情報を復旧する段階をさらに備えた。
【００１６】
好ましくは、前記ＲＴＣ部分情報の最小ビットｎは、下記数式１によって計算される。
【００１７】
【数１】
0004796602.tif 000002
【００１８】
（Ｔｄ＝送信暗号システムと受信暗号システム間のＲＴＣ最大偏差）
【００１９】
好ましくは、前記ＲＴＣ部分情報は、次の式によって計算される。
【００２０】
【数２】
0004796602.tif 000003
【００２１】
（ＴＡ＝送信暗号システムのＲＴＣ値、ｎ＝ＲＴＣ部分情報の最小ビット数）
【００２２】
好ましくは、前記ＲＴＣ全体情報Ｘは、
【００２３】
【数３】
0004796602.tif 000004
【００２４】
（ＴＢ＝受信暗号システムのＲＴＣ値）を最小値に作り、次の式によって計算される。
【００２５】
【数４】
0004796602.tif 000005
【００２６】
（ｋは整数）
【００２７】
本発明の他の態様に係る時刻情報（ＲＴＣ）を利用した送信暗号システムと受信暗号システムとの間の保安通信装置は、前記送信暗号システムと前記受信暗号システムとの間の時刻情報（ＲＴＣ）の最大偏差を計算するＲＴＣ最大偏差推算部であって、前記最大偏差は、前記送信暗号システムおよび前記受信暗号システムの寿命と、前記ＲＴＣの正確度とに基づいて決定されること、前記計算されたＲＴＣ最大偏差に基づいて前記ＲＴＣ全体情報の復旧に必要なＲＴＣ部分情報の最小ビットを計算するＲＴＣ部分情報計算部と、前記計算されたＲＴＣ部分情報の最小ビットに基づいて前記ＲＴＣ部分情報を計算するＲＴＣ部分情報抽出部と、前記計算されたＲＴＣ部分情報を前記受信暗号システムに伝送するＲＴＣ部分情報伝送部と、を備えたことを特徴とする。
【００２８】
好ましくは、前記伝送されたＲＴＣ部分情報を受信するＲＴＣ部分情報受信部と、前記受信されたＲＴＣ部分情報に基づいて前記ＲＴＣ全体情報を復旧するＲＴＣ全体情報復旧部と、をさらに含む。
【００３０】
好ましくは、前記ＲＴＣ部分情報計算部は、次の式によって前記ＲＴＣ部分情報の最小ビット数ｎを計算する。
【００３１】
【数５】
0004796602.tif 000006
【００３２】
（Ｔｄ＝送信暗号システムと受信暗号システム間のＲＴＣ最大偏差）
【００３３】
好ましくは、前記ＲＴＣ部分情報抽出部は、次の式によって前記ＲＴＣ部分情報を計算する。
【００３４】
【数６】
0004796602.tif 000007
【００３５】
（ＴＡ＝送信暗号システムのＲＴＣ値、ｎ＝ＲＴＣ部分情報の最小ビット数）
【００３６】
好ましくは、前記ＲＴＣ全体情報復旧部は、下記数式６によって計算され、
【００３７】
【数７】
0004796602.tif 000008
【００３８】
（ＴＢ＝受信暗号システムのＲＴＣ値）を最小値に作る前記ＲＴＣ全体情報Ｘを計算する。
【００３９】
【数８】
0004796602.tif 000009
【００４０】
（ｋは整数）
【発明の効果】
【００４１】
本発明によれば、暗号システム間のセッションキーの生成に必要なノンス値として暗号システムのＲＴＣ全体情報を活用し、ＲＴＣ伝送量を最小化することによって、劣悪な通信環境でも暗号システムの運用が可能になる。
【発明を実施するための最良の形態】
【００４２】
以下、添付の図面を参照して本発明によるＲＴＣを利用した暗号システム間の保安通信方法及び装置を説明する。
【００４３】
図２は、本発明の実施例によるＲＴＣを利用した暗号システム間の保安通信装置を示すブロック図である。図２に示すように、通信を行う暗号システムＡ  ２００及び暗号システムＢ  ２０５は、各々ＲＴＣ最大偏差推算部２１０、２１５、ＲＴＣ部分情報計算部２２０、２２５、ＲＴＣ部分情報抽出部２３０、２３５及びＲＴＣ部分情報伝送部２４０、２４５からなるＲＴＣ伝送部２５０、２５５、並びにＲＴＣ部分情報受信部２６０、２６５及びＲＴＣ全体情報復旧部２７０、２７５からなるＲＴＣ受信部２８０、２８５とを含む。
【００４４】
暗号システムＡ  ２００及び暗号システムＢ  ２０５は、ＲＴＣ伝送部２５０、２５５及びＲＴＣ受信部２８０、２８５を各々含んでいるので、ＲＴＣ伝送及び受信を行うことができる。
【００４５】
以下、暗号システムＡ  ２００が暗号システムＢ  ２０５に暗号文を伝送する場合について説明する。
【００４６】
まず、ＲＴＣ最大偏差推算部２１０は、暗号システムＡ  ２００と暗号システムＢ  ２０５間のＲＴＣ最大偏差Ｔｄ（秒）を推算する。現在時刻とＲＴＣ値の差値であるＲＴＣの偏差をａとすれば、暗号システムＡ  ２００のＲＴＣ値は、（現在時刻−ａ）、暗号システムＢ  ２０５のＲＴＣ値は、（現在時刻＋ａ）なので、ＲＴＣ最大偏差は２ａになる。この時、ＲＴＣの偏差ａは、暗号システム２００、２０５の寿命とＲＴＣの正確度（水晶振動子の周波数）を知る場合に決定することができる。
【００４７】
例えば、３０年間使わなければならない暗号システムがあり、そのシステムに使用されるＲＴＣの正確度が１ｐｐｍ（１，０００，０００秒に１秒の偏差発生）である場合を考察する。１年は、約２２５秒であり、１，０００，０００秒は、約２２０秒なので、１年間に生ずる偏差は、約２５（＝２２５／２２０）秒である。３０年（約２５年）の間に暗号システムが運用されるので、発生するＲＴＣ最大偏差は、２１０（＝２５＊２５）秒になる。
【００４８】
その後、ＲＴＣ部分情報計算部２２０は、伝送するＲＴＣ部分情報のビット数を計算する。この時、伝送するＲＴＣ部分情報のビット数ｎは、次の式の通りである。
【００４９】
【数９】
0004796602.tif 000010
【００５０】
（Ｔｄ＝暗号システム間のＲＴＣ最大偏差）
【００５１】
次に、ＲＴＣ部分情報抽出部２３０は、暗号システムＡ  ２００のＲＴＣ値であるＴＡを２ｎで分けた残りの値であるＴＡ  ｍｏｄ  ２ｎを計算する。
【００５２】
これは、すべての整数をｋ個のグループに分ける整数のグループ化方式を応用したものであって、整数のグループ化方式は、次の通りである。
グループ［０］＝ｋで分けた時、残りが０である数の集合、代表元＝０、
グループ［１］＝ｋで分けた時、残りが１である数の集合、代表元＝１、
グループ［２］＝ｋで分けた時、残りが２である数の集合、代表元＝２、
．．．．
グループ［ｋ−１］＝ｋで分けた時、残りがｋ−１である数の集合、代表元＝ｋ−１。
【００５３】
前記計算を通じてＲＴＣ部分情報抽出部２３０は、ＲＴＣ全体情報ＴＡが属したグループの代表元を求め、この値をＲＴＣの部分情報ＰＡとして決定する。暗号システムＡ  ２００は、ＲＴＣ全体情報ＴＡを活用したノンスでセッションキーを生成した後、暗号文を生成する。
【００５４】
その後、暗号システムＡ  ２００が暗号システムＢ  ２０５に暗号文を伝送する時、ＲＴＣ部分情報伝送部２４０は、計算されたＴＡ ｍｏｄ  ２ｎ値、すなわち暗号システムＡ  ２００のＲＴＣ値が属したグループの代表元値を暗号システムＢ  ２０５のＲＴＣ部分情報受信部２６５に伝送する。
【００５５】
暗号システムＢ  ２０５のＲＴＣ全体情報復旧部２７５は、ＲＴＣ部分情報受信部２６５に受信された暗号システムＡ  ２００のＲＴＣ値が属したグループの代表元値を利用して暗号システムＡ  ２００の実際ＲＴＣ値を求める。具体的には、前記ＲＴＣ代表元値を利用して暗号システムＡ  ２００のＲＴＣ値になり得る候補を求め、その候補のうち暗号システムＢ  ２０５のＲＴＣ値と差異が最も小さい値として決定する。
【００５６】
このために、まず、
【００５７】
【数１０】
0004796602.tif 000011
【００５８】
が最小になるＸを計算する。この時、ＴＢは、暗号システムＢ  ２０５のＲＴＣ値であり、Ｘは、下記数式８の通りである。
【００５９】
【数１１】
0004796602.tif 000012
【００６０】
（ｋは整数）
【００６１】
これにより、Ｘ＝ＴＡが成立し、その理由は次の通りである。
上記のような過程を通じて、下記数式９が成立し、ＸとＴＡは、２ｎ で分けた残りが同一であるので、Ｘ＝ＴＡが成立する。
【００６２】
【数１２】
0004796602.tif 000013
【００６３】
前記過程によって、暗号システムＡ  ２００のＲＴＣ全体情報が復旧されれば、暗号システムＢ  ２０５は、前記ＲＴＣ全体情報を利用して受信側セッションキーを生成し、暗号文を復号化する。
【００６４】
前記過程について例を取って説明する。
暗号システムＡとＢのＲＴＣ最大偏差が３０秒、ＡのＲＴＣ値は、１０時５９分４５秒（３９５８５秒）、ＢのＲＴＣ値は、１１時００分０３秒（３９６０３秒）であると仮定すれば、ｎ＝６になり、Ａは、Ｂに３９５８５を２６＝６４で分けた残り３３を伝送する。Ｂは、Ｘ＝ＴＡ  ｍｏｄ  ６４＝３３であり、且つ
【００６５】
【数１３】
0004796602.tif 000014
【００６６】
が最小になるＸ値を計算すれば、Ｘ＝３９５８５になる。したがって、暗号システムＡは、暗号システムＢに自分のＲＴＣ値のうち６ビット部分情報だけを伝送すれば、暗号システムＢは、自分のＲＴＣ値を利用して暗号システムＡのＲＴＣ全体値を復旧することができる。
【００６７】
図３は、本発明の実施例によるＲＴＣを利用した暗号システムの暗号文送信方法を示す流れ図である。
【００６８】
暗号文を送信する暗号システムＡは、まず、２つの暗号システムの寿命とＲＴＣの正確度（水晶振動子の周波数）を考慮して暗号システムＡと暗号文を受信する暗号システムＢの間のＲＴＣ最大偏差を推算する（Ｓ３１０）。
【００６９】
その後、伝送するＲＴＣ部分情報のビット数ｎを前記数式１を利用して求める（Ｓ３２０）。
【００７０】
次の段階では、暗号システムＡのＲＴＣ値であるＴＡを２ｎで分けた残りの値であるＴＡ  ｍｏｄ  ２ｎを計算する（Ｓ３３０）。前記計算を通じて暗号システムＡ  ２００のＲＴＣ全体情報ＴＡを活用したノンスでセッションキーを生成した後（Ｓ３４０）、暗号文を生成する（Ｓ３５０）。
【００７１】
次の段階では、暗号文を伝送する時、前記計算されたＴＡ  ｍｏｄ  ２ｎ値、すなわち暗号システムＡのＲＴＣ値が属したグループの代表元値を暗号システムＢに伝送する（Ｓ３６０）。暗号システムＡのＲＴＣ値であるＴＡの代わりに前記代表元値のみを送るので、データ伝送量を低減することができる。
【００７２】
図４は、本発明の実施例によるＲＴＣを利用した暗号システムの暗号文受信方法を示す流れ図である。
【００７３】
暗号システムＢは、暗号システムＡから暗号文及び前記ＲＴＣ代表元値を伝送され（Ｓ４１０）、これを利用して暗号システムＡの実際ＲＴＣ値を復旧する（Ｓ４２０）。
【００７４】
このために、まず、
【００７５】
【数１４】
0004796602.tif 000015
【００７６】
が最小になるＸを計算する。この時、ＴＢは、暗号システムＢのＲＴＣ値であり、Ｘは、前記数式２の通りである。
【００７７】
これにより、Ｘ＝ＴＡが成立し、その理由は次の通りである。
上記のような過程を通じて、前記数式３が成立し、ＸとＴＡは、２ｎで分けた残りが同一であるので、Ｘ＝ＴＡが成立する。
【００７８】
前記過程によって暗号システムＡのＲＴＣ全体値が復旧されれば、暗号システムＢは、前記ＲＴＣ全体情報を利用してノンスを復旧して受信側セッションキーを生成し（Ｓ４３０）、暗号文を復号化する（Ｓ４４０）。
【００７９】
以下、ＲＴＣ全体値を伝送する場合と本発明によるＲＴＣ部分伝送の場合とを比較する。
【００８０】
まず、送信暗号システムがＲＴＣ全体値を伝送する場合を考察する。ＲＴＣ全体値を秒に換算して伝送すれば、略２３８．２（９９９９年＊３６５日＊２４時間＊６０分＊６０秒）になるので、約３９ビットに該当する値を伝送しなければならない。しかし、通信環境が劣悪な場合、３９ビットの情報伝送は相当な負担になる。
【００８１】
しかし、本発明によってＲＴＣ部分情報を伝送する場合に、送信暗号システムは、自分のＲＴＣ全体値の代わりに暗号システム間のＲＴＣ最大差の約２倍だけを伝送すればよいので、ＲＴＣ全体値の伝送に必要な３９ビットに比べて画期的にその伝送量を節減することができる。例えば、暗号システム間のＲＴＣ差異の最大値が各々
【００８２】
【数１５】
0004796602.tif 000016
【００８３】
なら、送信暗号システムは、各々７ビット、１３ビット、１８ビットだけを伝送すればよい。
【００８４】
以上において説明した本発明は、本発明が属する技術の分野における通常の知識を有する者であれば、本発明の技術的思想を逸脱しない範囲内で、様々な置換、変形及び変更が可能であるので、上述した実施例及び添付された図面に限定されるものではない。
【図面の簡単な説明】
【００８５】
【図１】従来の秘密キー暗号システムの暗号通信方法を示す流れ図である。
【図２】本発明の実施例による時刻情報を利用する暗号システム間の保安通信装置の構成を示すブロック図である。
【図３】本発明の実施例によるＲＴＣを利用した暗号システムの暗号文伝送方法を示す流れ図である。
【図４】本発明の実施例によるＲＴＣを利用した暗号システムの暗号文受信方法を示す流れ図である。
【符号の説明】
【００８６】
２１０、２１５  ＲＴＣ最大偏差推算部
２２０、２２５  ＲＴＣ部分情報計算部
２３０、２３５  ＲＴＣ部分情報抽出部
２４０、２４５  ＲＴＣ部分情報伝送部
２５０、２５５  ＲＴＣ伝送部
２６０、２６５  ＲＴＣ部分情報受信部
２７０、２７５  ＲＴＣ全体情報復旧部
【図１】
0004796602.tif 000025
【図２】
0004796602.tif 000026
【図３】
0004796602.tif 000027
【図４】
0004796602.tif 000028